【事件の表示】
　特願２００２−　４８７３５「美白化粧料」拒絶査定不服審判事件〔平成１５年　９月　２日出願公開、特開２００３−２４６７２０〕について、次のとおり審決する。
【結　論】
　本件審判の請求は、成り立たない。
【理　由】
１．手続の経緯、本願発明
　本願は、平成１４年２月２５日に出願されたものであって、その請求項１，２に係る発明は、願書に添付した明細書の特許請求の範囲の請求項１，２に記載された事項により特定されるとおりのものであり、そのうち請求項１に係る発明（以下、「本願発明」という。）は、次のとおりのものである。
　
　「【請求項１】（Ａ）ジオスコリア・コンポジータ（Dioscorea composita）から得られる抽出物と、（Ｂ）ビタミンＥ及びその誘導体、抗炎症剤からなる群より選択される１種又は２種以上とを含有することを特徴とする美白化粧料。」
　
２．引用例
　これに対し、原査定の拒絶の理由に引用された本願出願前の刊行物である、特開平９−２２１４３９号公報（以下、「引用例Ａ」という。）、特開２００１−２７０８１７号公報（以下、「引用例Ｂ」という。）、特開２０００−２９０１６０号公報（以下、「引用例Ｃ」という。）、特開２００１−２６１５２３号公報（以下、「引用例Ｄ」という。）、及び特開平１０−１９４９５６号公報（以下、「引用例Ｅ」という。）には、次のような技術事項が記載されている。なお、下線は当審で付したものである。
　
［引用例Ａ］
　（Ａ−１）「【請求項５】式Ｉ：
【化３】（構造式略）
［式中、Ｒ1〜Ｒ4はそれぞれ独立にＨまたは−ＣＯＲを示し、Ｒは１〜２０個の炭素原子を有するアルキル基を示す］で表わされるハイドロカルコン誘導体の製造方法であって、
ジオスコリア・コンポジータを抽出溶媒と接触させて、該抽出溶媒中に前記ハイドロカルコン誘導体を含む抽出物を得る
【請求項６】
請求項５に記載の製造方法で得られた抽出物を配合したことを特徴とする化粧料
　（Ａ−２）「【０００７】…
ジオスコリア・コンポジータ(Dioscorea composita)より得られる抽出物に高いチロシナーゼ活性阻害効果を見い出し
　（Ａ−３）「【００１９】上記式Ｉのハイドロカルコン誘導体を有効成分として化粧料を調製する場合、該誘導体としては化学合成されたものが利用できるが、主として中央アメリカやインドで自生または栽培されているヤマノイモ科、ジオスコリア属の植物であるジオスコリア・コンポジータ(Dioscorea composita)から抽出された１，３−ビス（２，４−ジヒトロキシフェニル）プロパン及びその誘導体を用いることができる。
【００２０】その抽出物を得るための溶媒としては、一般的には水、メタノール、エタノール、イソプロピルアルコール等のアルコール類、エチレングリコール、プロピレングリコール、１，３ブチレングリコール等の多価アルコール類、アセトン等のケトン類、酢酸エチル等のエステル類、ジエチルエーテル等のエーテル類およびベンゼン等の芳香族化合物の一種または二種以上の混合物が使用される。」（段落【００１９】【００２０】、５頁７欄４〜１９行）
　（Ａ−４）「【００２７】
また、本発明の化粧料には
抗酸化剤
各種動植物抽出エキスなどを、本発明の目的を達成する範囲内で適宜配合することができる。さらに、アスコルビン酸、アスコルビン酸誘導体、コウジ酸、アルブチンといった美白成分も配合することができる
　（Ａ−５）ジオスコリア・コンポジータの水／エタノール（１：１、容量比）抽出物I、及びジオスコリア・コンポジータの酢酸エチル抽出物IIを製造し、並びにこれらの抽出物を配合した二相型ローション（実施例１〜４）、スキンクリーム（実施例５〜８）が、チロシナーゼ活性阻害試験、皮膚色明度回復試験、及び美白実用試験において良好な結果を示した旨。（段落【００２９】〜【００４５】、５頁８欄３９行〜９頁１５欄２７行）
　
［引用例Ｂ］
　（Ｂ−１）「【請求項１】次の成分（Ａ）及び（Ｂ）
（Ａ）
アコヨ（ACOYO、学名：Piper auritum）の抽出物
（Ｂ）美白剤、抗酸化剤、
抗炎症剤
から選ばれる薬効剤の一種又は二種以上
　…
【請求項４】成分（Ｂ）の
抗炎症剤が
グリチルリチン酸もしくはグリチルレチン酸またはそれらの誘導体または塩
から選ばれたもの
…」（特許請求の範囲の請求項１、４、２頁１欄２〜３９行）
　（Ｂ−２）「【０００４】…本発明者らは、
メキシコ原産の植物であるアコヨ（ACOYO、学名：Piperauritum）の抽出物にチロシナーゼ阻害効果があること
このアコヨの抽出物を皮膚外用剤に配合することにより、日焼け等により生じる皮膚の黒化、色素沈着により生ずるシミ、ソバカス等の現象を予防および改善することのできる皮膚外用剤が得られることを見出し
【０００６】…本発明者らは、上記特願平１１−２５１９号での知見をもとに
アコヨ抽出物の有する性能をより引き出すべく鋭意研究を行った結果、当該抽出物と
抗炎症剤
から選ばれる薬効剤の一種又は二種以上を組み合せて皮膚外用剤に使用することにより、日焼け等により生じる皮膚の黒化、色素沈着により生ずるシミ、ソバカス等の現象を防止する美白、美肌効果が相乗的に高まること
　（Ｂ−３）「【００１３】…本発明の皮膚外用剤において、
アコヨ抽出物（成分（Ａ））と組み合わせ、使用される他の薬効成分（成分（Ｂ））としては
抗炎症剤
から選ばれる薬効剤である。具体的な薬効剤の例としては、それぞれ以下に示すものが挙げられる
【００１６】（ 抗 炎 症 剤 ）
抗炎症剤としては
グリチルリチン酸、グリチルレチン酸及びそれらの誘導体並びに塩
が挙げられる。これらの抗炎症剤のうち、特に好ましいものとしては、グリチルリチン酸、グリチルレチン酸及びそれらの誘導体並びにそれらの塩が挙げられる。
　（Ｂ−４）実施例１で試験データによって、比較品１でアコヨ抽出物を単独配合した、また比較品５でグリチルリチン酸ジカリウムを単独配合したクリームがある程度の美白効果を有すること、及び本発明品４でアコヨ抽出物とグリチルリチン酸ジカリウムの両方を配合したクリームがより一層の美白効果を有することが示されている。（段落【００３５】〜【００４０】、５頁７欄〜７頁１１欄９行）
　
［引用例Ｃ］
　（Ｃ−１）「【請求項１】  
抗炎症剤
小麦胚芽の抽出物
美白化粧料
【請求項２】  
抗炎症剤がグリチルリチン酸及びその塩類、グリチルレチン酸及びそのエステル
からなる群から選ばれる１種以上
　（Ｃ−２）「【０００４】…本発明者らは、…
後記の美白化粧料が、紫外線による炎症を防ぎ紫外線障害によるメラニン産生を抑制するとともに優れたメラニン生成抑制効果を示すだけではなく、肌を整えることによりメラニン色素の排泄を促し、短期間で優れた美白効果を発現すること
…
【０００６】…
上記の目的を達成する本発明の請求項１は、抗炎症剤と小麦胚芽の抽出物を含有することを特徴とする美白化粧料
　（Ｃ−３）「【００１０】
本発明の抗炎症剤は、グリチルリチン酸及びその塩類、グリチルレチン酸及びそのエステル
が例示される
【００１１】グリチルリチン酸及びその塩としては、α体、β体のいずれでも良く、これらのカリウム塩、ナトリウム塩、マグネシウム塩、カルシウム塩、アンモニウム塩などが好ましいものとして挙げられる。
【００１２】グリチルレチン酸及びそのエステルのうちのグリチルレチン酸としてはα体、β体のいずれでもよく、エステルとしてはステアリルアルコールとのエステルが好ましい。」（段落【００１０】〜【００１２】、２頁２欄２〜１２行）
　（Ｃ−４）試験データにより、比較例１，２で小麦胚芽抽出物を単独配合しまた比較例３，４でα−グリチルリチン酸ジカリウム又はβ−グリチルレチン酸を単独配合したスキンクリームがいずれもある程度の皮膚明色度回復効果、及び美白効果を有することが示され、及び、実施例１，５，６で小麦胚芽抽出物とα−グリチルリチン酸ジカリウム（又はβ−グリチルレチン酸）の両方を配合したスキンクリームがより優れた皮膚明色度回復効果、及び美白効果を有することが示されている。（段落【００２２】〜【００２５】、３頁３〜４欄、表３）
　
［引用例Ｄ］
　（Ｄ−１）「…
【請求項３】次の成分（Ａ）および（Ｂ）
（Ａ）
インジェルト（INJERTO、学名：Peittacanthus calyculatus)の抽出物
（Ｂ）美白剤、抗酸化剤、
抗炎症剤
から選ばれる薬効剤の一種又は二種以上
　…
【請求項６】
成分（Ｂ）の抗炎症剤が
グリチルリチン酸、グリチルレチン酸もしくはそれらの誘導体またはそれらの塩
から選ばれたもの
…」（特許請求の範囲の請求項３，６、２頁１欄８〜４８行）
　（Ｄ−２）「【０００４】…本発明者らは、優れた薬効作用を有し、皮膚外用剤の薬効成分として使用することができる天然成分について、鋭意検索を行った結果、
メキシコ原産植物であるインジェルト（INJERTO、学名：Peittacanthus calyculatus)の抽出物が高いメラニン生成抑制作用を有し、美白、美肌成分として優れたものであること
この抽出物は、美白、美肌成分として皮膚外用剤に配合できると共に、他の薬効成分と組み合わせることにより皮膚外用剤としてより優れた効果が得られること
　（Ｄ−３）「【００１３】
本発明において、インジェルト抽出物（成分（Ａ））と組み合せ、使用される他の薬効成分（成分（Ｂ））は
抗炎症剤
から選ばれる薬効剤である
具体的な薬効剤の例としては、それぞれ以下に示すものが挙げられる
　…
【００１６】（ 抗 炎 症 剤 ）
抗炎症剤としては
グリチルリチン酸、グリチルレチン酸及びそれらの誘導体並びにそれらの塩
等が挙げられる。これらの抗炎症剤のうち、特に好ましいものとしては、グリチルリチン酸、グリチルレチン酸及びそれらの誘導体並びにそれらの塩が挙げられる
　（Ｄ−４）実施例２において、試験データにより、本発明品１でインジェルト抽出物を単独配合し又比較品５でグリチルリチン酸ジカリウムを単独配合したクリームがある程度の美白効果を有すること、及び、本発明品５でインジェルト抽出物とグリチルリチン酸ジカリウムの両方を配合したクリームがより一層の美白効果を有することが示されている。（段落【００４１】〜【００４５】、６頁１０欄１２行〜８頁１４欄２行）
　（Ｄ−５）「【００４６】…
インジェルト抽出物と
抗炎症剤
を併用して配合した外用剤を皮膚に適用することにより、インジェルト抽出物を単独で配合した外用剤を適用した場合に比べて肌の「くすみ」等の発生の防止、改善効果を相乗的に高め美しい肌とする
　
［引用例Ｅ］
　（Ｅ−１）「【請求項１】
グリチルリチン酸塩、グリチルレチン酸、及びグリチルレチン酸のエステルから選ばれる少なくとも１種
【化１】
（但し、Ｒ1はＣＨ3、Ｃ2Ｈ5、Ｃ3Ｈ7、ＣＨ2ＯＨ、Ｃ3Ｈ6ＯＨ、ＣＨ2ＣＨ＝ＣＨ2の置換基である）
【化２】
（但し、Ｒ2は、水素原子もしくは炭素数１から８の直鎖又は分岐鎖状の飽和炭化水素基である）」（特許請求の範囲の請求項１、２頁１欄２〜２５行）
　（Ｅ−２）「【０００３】
従来より、紫外線による障害に対しては
美白剤
グリチルリチン類などの抗炎症剤
しかし、これらの物質は、保存安定性が不十分であったり、紫外線による炎症防止効果が十分に認められないことが多かった
【０００４】
一方、特定のビフェニル化合物にはチロシナーゼ活性阻害効果やメラニン生成抑制効果があることが知られている（特開平６−１４５０４０号公報、特開平７−２５７４３号公報）。しかし、これを単独で配合した場合にも、美白効果は満足できるものではなかった
　（Ｅ−３）【０００５】そこで本発明者らは鋭意研究した結果、
グリチルリチン酸塩、グリチルレチン酸、及びグリチルレチン酸のエステル類から選ばれる少なくとも１種と、特定のビフェニル化合物の少なくとも１種を含有する皮膚化粧料は、特に美白効果に優れ
ていること
　（Ｅ−４）「【００１３】本発明に用いられるグリチルリチン酸塩類としては、１８α−グリチルリチン酸のモノナトリウム塩、モノカリウム塩、モノアンモニウム塩、ジカリウム塩、また、１８β−グリチルリチン酸のモノナトリウム塩、モノカリウム塩、モノアンモニウム塩、ジカリウム塩などが特に好ましいものとして挙げることができる…。
【００１４】本発明に用いられるグリチルレチン酸としては、１８α−グリチルレチン酸、１８β−グリチルレチン酸がある。
【００１５】本発明に用いられるグリレチルレチン酸のエステルとしては１８α−グリチルレチン酸ステアリル、また、１８β−グリチルレチン酸ステアリルなどが特に好ましいものとして挙げることができる…。」（段落【００１３】〜【００１５】、２頁２欄４３行〜３頁３欄７行）
　（Ｅ−５）試験データにより、比較例１〜８でグリチルリチン酸の塩、グリチルレチン酸、及びグリチルレチン酸ステアリルが単独でも又比較例９，１０でビフェニル化合物が単独でも、ある程度の皮膚明色度回復効果及び美白効果を有すること、及び、実施例１〜１２でビフェニル化合物と、グリチルリチン酸の塩、グリチルレチン酸、グリチルレチン酸ステアリルとの併用によって、より一層の皮膚明色度回復効果及び美白効果を有することが示されている。（段落【００２７】〜【００３２】、４頁６欄１１行〜６頁９欄５行）
　
３．対比、判断
　引用例Ａには、前記「２．」の摘示（Ａ−１）からみて、次の発明（以下、「引用例Ａ発明」という。）が記載されていると認められる。
　「ジオスコリア・コンポジータを抽出溶媒と接触させて得られる抽出物を配合したことを特徴とする化粧料。」
　
　そこで、本願発明と引用例Ａ発明とを対比する。
　（ａ）各種植物の抽出物を抽出溶媒と接触させて得ることは、通常の技術事項であり、本願明細書には、「ジオスコリア・コンポジータ（Dioscorea composita）から抽出物を得るための溶媒としては、一般的には水、メタノール、エタノール、イソプロピルアルコール等のアルコール類、エチレングリコール、プロピレングリコール、１，３−ブチレングリコール等の多価アルコール類、アセトン等のケトン類、酢酸エチル等のエステル類、ジエチルエーテル等のエーテル類及びベンゼン等の芳香族化合物の１種又は２種以上の混合物が使用される。」（段落【００１３】）と記載され、他方、引用例Ａに、「抽出物を得るための溶媒としては、一般的には水、メタノール、エタノール、イソプロピルアルコール等のアルコール類、エチレングリコール、プロピレングリコール、１，３ブチレングリコール等の多価アルコール類、アセトン等のケトン類、酢酸エチル等のエステル類、ジエチルエーテル等のエーテル類およびベンゼン等の芳香族化合物の一種または二種以上の混合物が使用される。」（摘示事項（Ａ−３））と記載されていて、両者の抽出溶媒は同一のものである。
　（ｂ）本願発明の（Ｂ）成分として、「（Ｂ）ビタミンＥ及びその誘導体、抗炎症剤からなる群より選択される１種又は２種以上」の選択群のうち、「抗炎症剤」を選択した場合について、以下、対比・検討する。
　
　そうすると、本願発明と引用例Ａ発明は、
　「ジオスコリア・コンポジータから得られる抽出物を含有することを特徴とする化粧料」で一致し、以下の相違点１，２で相違する。
＜相違点＞
　１．化粧料に関し、本願発明では、美白化粧料と特定しているのに対し、引用例Ａ発明では、そのように特定していない点
　２．本願発明では、更に抗炎症剤を含有すると特定しているのに対し、引用例Ａ発明では、そのように特定していない点
　
　そこで、これらの相違点について検討する。
　
＜相違点１＞について
　引用例Ａには、ジオスコリア・コンポジータの水／エタノール（１：１、容量比）抽出物I、及びジオスコリア・コンポジータ酢酸エチル抽出物II、並びにこれらの抽出物を配合した二相型ローション（実施例１〜４）、スキンクリーム（実施例５〜８）が、チロシナーゼ活性阻害試験、皮膚色明度回復試験、及び美白実用試験において良好な結果を示したことが記載（摘示事項（Ａ−５））されているから、引用例Ａにはジオスコリア・コンポジータを抽出溶媒と接触させて得られる抽出物を配合した美白化粧料が実質的に記載されている。
　したがって、相違点１は、実質的な相違点ではない。
　
＜相違点２＞について
　ところで、「抗炎症剤」について、引用例Ｂ〜引用例Ｅでの記載（前記「２．」の摘示を参照）を検討すると、以下の事項が記載されている。
　
引用例Ｂ
　
引用例Ｃ
　
引用例Ｄ
　
引用例Ｅ
　
　そうすると、前記引用例Ｂ〜Ｅの記載事項を合わせ勘案し、本願明細書に、「本発明に用いられる抗炎症剤は、例えばグリチルリチン酸及びその塩、グリチルレチン酸及びそのエステル、…等が挙げられ、これらのうち、グリチルリチン酸及びその塩類、グリチルレチン酸及びそのエステル、…が好ましい。グリチルリチン酸及びその塩としては、α体、β体のいずれでもよく、これらのカリウム塩、ナトリウム塩、マグネシウム塩、カルシウム塩、アンモニウム塩等が好ましいものとして挙げられる。グリチルレチン酸及びそのエステルとしては、α体、β体のいずれでもよく、エステルとしてはモノステアリン酸エステル等が好ましいものとして挙げられる」（段落【００１９】〜【００２１】）と記載されている、グリチルリチン酸の塩、グリチルレチン酸、及びグリチルレチン酸ステアリル等の抗炎症剤は、
　（ｉ）「単独でもある程度の皮膚明色度回復効果及び美白効果を有し、美白成分である」（摘示事項（Ｂ−４）（Ｃ−４）（Ｄ−４）（Ｅ−５）参照）が、
　（ｉｉ）美白作用を有する各種植物の抽出物又は化合物と組み合わせることにより、「美白効果が相乗的に高まること」（摘示事項（Ｂ−２）参照）、「優れたメラニン生成抑制効果を示すだけではなく、短期間で優れた美白効果を発現すること」（摘示事項（Ｃ−２）参照）、「肌の「くすみ」等の発生の防止、改善効果を相乗的に高め美しい肌とすること」（摘示事項（Ｄ−２）（Ｄ−６）参照）、及び「特に美白効果に優れていること」（摘示事項（Ｅ−３）参照）などからみて、
本願出願前に、他の美白剤と併用することで、より一層の美白効果が期待されていると認められる。
　一方、引用例Ａには、「本発明の化粧料には、各種植物抽出エキスなどを、本発明の目的を達成する範囲内で適宜配合することができる。さらに、アスコルビン酸、アスコルビン酸誘導体、コウジ酸、アルブチンといった美白成分も配合することができる。」（摘示事項（Ａ−４）参照）と記載されている。
　してみれば、引用例Ａ発明において、引用例Ｂ乃至引用例Ｅの記載事項を参酌し、一層の美白効果を期待して、抗炎症剤を配合することは当業者であれば容易になし得ることである。
　
　以上のとおり、上記相違点にかかる構成は当業者が容易に想到し得る程度のものと認められ、それらの相違点によって格別予想外の作用効果を奏しているとも認められない。
　
　ところで、審判請求人は、平成１７年１１月２５日付けの審判請求理由に係る手続補正書の、「（４）本願発明と引用文献との対比」において、化粧料の分野において、複数の成分を組み合わせて、単独で用いた場合に比してより大きい効果を得ようとすることは、当業者であれば容易に想到し得ることであるが、実際、組合わせたことによって得られる効果は、単に相加的な効果であったり、また相加的な効果すら得られない場合が殆どであり、特に化粧料に配合される植物抽出物の種類は、非常に多数あり、その中より、期待する効果が得られるものを見出すことは、容易なことではなく、美白成分としてジオスコリア・コンポジータ抽出物を選択し、ビタミンＥ及びその誘導体、抗炎症剤からなる群より選択される１種又は２種以上と組み合わせた場合に得られる効果は、それぞれ単独で配合した場合に得られる効果と比して極めて大きな効果であり、またジオスコリア・コンポジータ抽出物に代えて、他の美白作用を有する成分を用いたとしても、必ずしも優れた効果が得られるという訳ではないことから、本願発明の効果は、当業者が予想できる範囲を超えるものである旨、及び、ジオスコリア・コンポジータ抽出物に代えて、美白作用を有することが知られていたカミツレ抽出物を用いた比較実験例に示すように、本願発明の効果は、ジオスコリア・コンポジータ抽出物と、ビタミンＥ及びその誘導体、抗炎症剤からなる群より選択される１種又は２種以上という特定の組合せにより得られる格別顕著なものであり、当業者が予測し得るものではない旨を主張している。
　しかし、本願発明の抗炎症剤が、各種植物抽出物をはじめとする各種の美白成分と併用することにより、その美白作用を高めることが、引用例Ｂ〜引用例Ｅにより本願出願前に明らかであることからみて、抗炎症剤を併用することの動機付けはあり、その美白効果の向上（相乗効果）も期待されるものであるから、例え、美白効果のあるカミツレ抽出物との併用において向上の程度がいくらか小さい場合の一例があったとしても、既に化粧料の美白成分として用いられているジオスコリア・コンポジータ（Dioscorea composita）から得られる抽出物に抗炎症剤を併用することによる効果の程度を確認することが阻害されるなどの格別の困難性があるとは認められないから、前記請求人の主張は採用できない。
　
　よって、本願発明は、引用例Ａ発明と引用例Ｂ乃至引用例Ｅの記載に基づいて当業者が容易に想到し得たものである。
　
４．むすび
　したがって、本願請求項１に係る発明は、特許法第２９条第２項の規定により特許を受けることができない。
　それ故、他の請求項について論及するまでもなく、本願は拒絶すべきものである。
　よって、結論のとおり審決する。